(57)【要約】      （修正有）【課題】外気温度の影響による温度低下が軽減できる温室用のヒーターを提供する。【解決手段】外気温度を遮断し、保温できる断熱保温材をパネルの裏に設けたパネルヒーターを温室の側面に取付け、その間にアルミフィン管ヒーターを２．５ｍ〜３ｍの間隔で設ける。これにより外気温度の影響による温室内の温度低下が軽減されるとともに、アルミフィン管ヒーターとパネルヒーターの間に発生する遊離基反応を活用させる熱機能低下防止暖房装置とすることができ、ランニングコストを軽減し、イニシャルコストも軽減される環境に優しい暖房装置が提供できる。【選択図】図３
2011130753.tif 000002
【特許請求の範囲】
【請求項１】
特殊パウダーをパネルヒーターの表面に塗布し、遠赤外線及びマイナスイオンを放射させる温室用暖房装置。
【請求項２】
アルミフィン管にヒーターを内蔵させ、アルミフィン管の表面に特殊パウダーを塗布し、遠赤外線及びマイナスイオンを放射させる暖房装置。
【請求項３】
アルミ管にフィンを付けることにより表面積を大きく取ることができ、熱効率を有効に活用できる暖房装置。
【請求項４】
パネルヒーターとアルミフィン管ヒーターを併用することにより、消費電力を節減し、環境に優れた暖房装置。
【発明の詳細な説明】
【技術分野】
【技術分野】
【０００１】本発明は、外気温度を遮断し、保温できる断熱保温材（気泡を最小に圧縮した難燃性ウレタン）をパネルの裏に使用することにより外気温度の影響による、温室内の温度低下が軽減され、アルミフィン管ヒーターとパネルヒーターの間に発生する熱遊離基反応を活用させる、熱機能低下防止装置に関するものである。
【背景技術】
【０００２】現在の温室用暖房装置は、１．重油でボイラーを炊いて、鉄フィン管及び銅管にお湯を通すスチーム方式、２．重油を使用した熱温風機、３．電気を使用した熱温風機、４．特殊ではあるが、瓦斯を使用したスチーム方式、などがあげられる。また石油系を使用する装置はこれから先の環境に影響をおよぼすものである。【０００３】１）での重油ボイラー方式は、１５０ｍ２の広さで約１２０ｍの長さになり、スチームの出先は８０℃と温室に適した温度であるが、スチームの末端になのと４０℃前後まで落ちてしまう、また石油の価格の上昇による生産コストの影響は大きいと思われる。また、イニシャルコストも高いものである。【０００４】２）での重油を使用した熱温風機は、熱効率的には良いが、地表の温度は余り上がらず天井部分に熱が上昇する傾向がある。
この装置も石油の価格の上昇による生産コストの影響は大きいと思われる。【０００５】３）での電気熱温風機は、電気使用量が大きく重油と大差なく、むしろ熱効率では重油熱温風機の方が優れている。
【発明が解決しようとする課題】
【０００６】しかし、これらの装置は、特に石油系の装置は環境を損なうもので、今後は規制される可能性が生じると思われる。
また、石油の上昇による生産コストを考慮し、ほかの装置に切り替える動きが見られる。また、従来の電気温風機では電気使用量が大きくかかり現時点では使用をしていない所が多く見られる。
解決しようとする課題は、いかにランニングコストが軽減されるか、イニシャルコストも軽減され、環境に優しい製品の発明にある。
【課題を解決するための手段】
【０００７】本発明はこの課題を解決しようとするものである。
パネルヒーターは、ガルバリウム鋼板（厚み０，５ｍｍ）の両面に銅メッキをし、銅の熱伝導率でヒーターの表面温度を平均にする、マックス温度は常温２０℃で１１０℃とし、パネル内には１１０℃設定のバイメタルを取り付けてある
【０００８】パネルの厚みは１５ｍｍで内部にシリコン被覆の銅ニッケルヒーター（１１，３ｍ）が組み込まれている。裏面には１５ｍｍの厚みで圧縮難燃性ウレタンが注入され、断熱保温材として外気温度の影響を防いでいる。
また、パネルに使用するヒーターはＦケーブルやＭＩケーブルを使用する製品もある。特に高温が要求される場合はＭＩケーブルを使用する。
【０００９】図１は、パネルのサイズである。長さ１，７００ｍｍ高さ４００ｍｍ厚さ１５ｍｍ。
パネルの電気容量は２５０ｗと４００ｗと４５０ｗの３種類がある。
【００１０】パネルの発熱温度は、常温２０℃で２５０ｗは７０℃  ４００ｗで９５℃  ４５０ｗでは１１０℃である。それぞれの機種には安全確保のため、バイメタルを取り付けている。
【００１１】アルミフィン管ヒーターは、直径３０ｍｍの管にフィンを１６枚〜２４枚取り付け、発熱表面積を大きくすることが重要である。フィン管の長さは４ｍだが容易に切ることが可能で施工制に優れている。
【００１２】アルミフィン管ヒーターは、直径３０ｍｍの管の内部にＭＩケーブルを取り入れる。ＭＩケーブルは銅製を使用し、１ｍ／１００ｗを使用する。ＭＩケーブルは、１ｗ／３，２℃を使用するので１ｍ／３２０℃の高熱の発熱温度となる。
【００１３】アルミフィン管の内部に常温時に最高温度３２０℃のＭＩケーブルを入れると、直径３０ｍｍの空間温度は２１０℃となり、フィンとフィンの間の温度は１３０℃に達する。熱効率においては優れている
【００１４】図２は、アルミフィン管ヒーターの図形と接続方法である。簡単に施工できるのと、大面積から小面積まで対処できるのが本発明の特徴である。
【発明を実施するための形態】
【００１５】図３を参照として、パネルヒーターとアルミフィン管ヒーターを併用することにより熱量及び熱効率が最大限有効に使うことができる。
温室の側面にパネルヒーターを取り付け、パネルヒーターとアルミフィン管ヒーターの間隔を２，５ｍ〜３ｍ以内とし、アルミフィン管ヒーターとフィン管の間隔も２，５ｍ〜３ｍとすることにより熱遊離基反応が生じ、熱が逃げにくくなり、熱が上昇する傾向になる。また、外気温度が一番影響されるのが側面であり、その側面にパネルヒーターを取り付けることにより、外気温度の影響を押さえることが可能となる。
【００１６】温室では、栽培する物において室内温度の差はまちまちであるが、共通して言えることは、地上から１，５ｍ〜３ｍ位までが適温になれば栽培は充分である。
特殊の物以外は１０〜２１℃以内を保てれば栽培に関し充分可能の温度である。
【実施例】
【００１７】本発明は、パネルヒーターとアルミフィン管ヒーターの併用により、熱効率を有効に使用できるため、１ｍ２／８０ｗ〜１３０ｗで充分可能である。
【発明の効果】
【００１８】本発明での試験結果は、９，８ｍ２の温室で外気温度３℃で天気は曇り、室内温度２１℃を表示、電気容量９６０ｗ。２１℃に達するまでの時間は４０分。
１４０ｍ２の温室で外気温度８℃で天気は晴れ、室内温度２３℃を表示、電気容量１２，０００ｗ。２３℃に達するまでの時間は１時間４５分。
実施例では１ｍ２あたり１００ｗを切る結果となった。
実施例では室内温度が１６℃以下になると自動的に入力される追い炊き方法を採用して実施した。
【図面の簡単な説明】
【００１９】
【図１】本発明のパネルヒーターのサイズと斜視図。
【図２】本発明のアルミフィン管ヒーターの斜視図と接続図。
【図３】本発明のパネルヒーターとアルミフィン管ヒーター併用施工図。
【符号の説明】
【００２０】図１での、▲１▼は、パネルヒーターの長さ１，７００ｍｍ
▲２▼は、パネルヒーターの高さ    ４００ｍｍ
▲３▼は、パネルヒーターの厚さ      １５ｍｍ
▲４▼は、パネルヒーターの全体の斜視図
▲５▼は、本発明での実施形態の断熱材（圧縮難燃性ウレタン）
図２での、▲１▼は、本発明のアルミフィン管
▲２▼は、アルミフィン管に内蔵されたＭＩケーブル
▲３▼は、アルミフィン管の接続及び連結部分
▲４▼は、アルミフィン管の長さと斜視図
図３での、▲１▼は、パネルヒーターの配列施工図
▲２▼は、アルミフィン管の連結配列施工図
【図１】
2011130753.tif 000003
【図２】
2011130753.tif 000004
【図３】
2011130753.tif 000005